(57)【要約】【課題】横臥しながらでも操作のし易いアラームを有するベッド用ヘッドボードであると共に、ベッドスペースをできるだけコンパクトなものとするベッド用ヘッドボードを提供する。【解決手段】ベッドの短手一側面と対向する平面状のヘッドボード面と、ベッドの長手一側面と対向すると共に、アラーム時計を露出させた平面状のサイドボード面とを有し、前記ヘッドボード面と前記サイドボード面は、前記ベッドの頭部側一角を囲うように直立することを特徴とした。【選択図】図１
2007167083.tif 000002
【特許請求の範囲】
【請求項１】
ベッド用のヘッドボードであって、
前記ベッドの頭部側における第１の縁部と対向するヘッドボード面と、
前記ヘッドボード面に隣接され、前記第１の縁部に隣る第２の縁部と対向すると共に、アラーム時計を露出させたサイドボード面とを有し、
前記ヘッドボード面と前記サイドボード面とは、前記ベッドの頭部側一角を囲うように直立することを特徴とするベッド用ヘッドボード。
【請求項２】
前記ヘッドボード面と前記サイドボード面とを、互いに鈍角を形成するよう設けたことを特徴とする、請求項１記載のベッド用ヘッドボード。
【請求項３】
前記サイドボード面は、台状に構成したサイドボード部の一側面であることを特徴とする、請求項１又は請求項２記載のベッド用ヘッドボード。
【請求項４】
前記サイドボード部の高さは、前記ヘッドボード面を有するヘッドボード部よりも低くしたことを特徴とする、請求項３記載のベッド用ヘッドボード。
【請求項５】
前記サイドボード部上面には照明取付け用開口を設けたことを特徴とする、請求項３又は請求項４記載のベッド用ヘッドボード。
【発明の詳細な説明】
【技術分野】
【０００１】
アラームを備えたベッド用ヘッドボードに関する。
【背景技術】
【０００２】
従来、ホテルなどの客室においては、時刻表示機能や目覚し機能を備えたアラームは、ベッド周りに配置することが一般的であり、ベッド頭部に設置するヘッドボード前面壁や、ベッドと別途に設けたナイトテーブル正面等にアラームを内蔵していた。
【０００３】
しかしながら、上記のように設置したアラームは、ベッドに横になった利用者からは殆ど死角に位置し、横になったままの状態では時刻の確認やアラームの設定操作などを行うことができず、体や顔を起こすなどの体勢の変更を伴わなければ時刻確認やアラーム操作ができなかったため煩雑であった。
【０００４】
そのため、ナイトテーブルの天板に水平旋回自在に設けた円形の回転盤にコントロールボックスを設置し、同コントロールボックス前面にアラームを配したベッド用ナイトテーブルが考案されている。（例えば、特許文献１参照）
【特許文献１】登録実用新案公報第３０３４１７３号公報
【発明の開示】
【発明が解決しようとする課題】
【０００５】
しかしながら、上記のようなベッド用ナイトテーブルを設置するには、その設置スペースが別途に必要となるため、場所を取り、客室に余分なスペースを割くことができないビジネスホテルの客室等では設置場所が制限されていたという問題があった。
【０００６】
本発明は、斯かる事情に鑑みてなされたものであって、横臥しながらでも操作のし易いアラームを有するベッド用ヘッドボードであると共に、ベッドスペースをできるだけコンパクトなものとするベッド用ヘッドボードを提供せんとするものである。
【課題を解決するための手段】
【０００７】
上記従来の課題を解決するため、請求項１記載のベッド用ヘッドボードでは、前記ベッドの頭部側における第１の縁部と対向するヘッドボード面と、前記ヘッドボード面に隣接され、前記第１の縁部に隣る第２の縁部と対向すると共に、アラーム時計を露出させたサイドボード面とを有し、前記ヘッドボード面と前記サイドボード面とは、前記ベッドの頭部側一角を囲うように直立することを特徴とするベッド用ヘッドボードとした。
【０００８】
請求項２記載のベッド用ヘッドボードでは、前記ヘッドボード面と前記サイドボード面とを、互いに鈍角を形成するよう設けたことを特徴とした。
【０００９】
請求項３記載のベッド用ヘッドボードでは、前記サイドボード面は、台状に構成したサイドボード部の一側面であることを特徴とした。
【００１０】
請求項４記載のベッド用ヘッドボードでは、前記サイドボード部の高さは、前記ヘッドボード面を有するヘッドボード部よりも低くしたことを特徴とした。
【００１１】
請求項５記載のベッド用ヘッドボードでは、前記サイドボード部上面には照明取付け用開口を設けたことを特徴とした。
【発明の効果】
【００１２】
本発明に係るベッド用ヘッドボードによれば、前記ベッドの頭部側における第１の縁部と対向するヘッドボード面と、前記ヘッドボード面に隣接され、前記第１の縁部に隣る第２の縁部と対向すると共に、アラーム時計を露出させたサイドボード面とを有し、前記ヘッドボード面と前記サイドボード面とは、前記ベッドの頭部側一角を囲うように直立することを特徴としたため、アラーム時計は、利用者がベッドに横になった際に、利用者の頭部側方に面して位置し、利用者の死角に位置することが無いし、手を伸ばせば届く範囲に位置するので、横臥しながら時刻の確認やアラームの操作をすることが容易に可能である。
【００１３】
また、前記ヘッドボード面と前記サイドボード面とを、互いに鈍角を形成するよう設けたことを特徴としたため、ベッド側面とサイドボード面との間に適度な空間を生じさせ、ベッド上に横になった利用者に圧迫感を与えることが無い。
【００１４】
また、前記サイドボード面は、台状に構成したサイドボード部の一側面であることを特徴としたため、アラーム時計を有するサイドボード上面に小物等を載置可能であり、テーブルとして利用できるため、アラーム時計とテーブルとを一体に構成してベッドスペースをコンパクトにすることができる。
【００１５】
また、サイドボード部の高さはヘッドボード面を有するヘッドボード部よりも低くしたことを特徴としたため、サイドボード部上面は、ベッドに横になったままでも手の届く所に位置し、寝ながら小物等を載置できるため別途にナイトテーブル等を設ける必要が無くベッドスペースをコンパクトにできる。
【００１６】
また、前記サイドボード部上面には照明取付け用開口を設けたことを特徴としたため、サイドボード部上部に照明を設置することが可能であり、ベッド上で読書をする際等に手元を照らす効果があるし、照明を設置した際には照明の配線とアラームの配線を一所に集中させることができ、配線や点検等を容易にする効果がある。
【発明を実施するための最良の形態】
【００１７】
本発明に係るベッド用ヘッドボードは、前記ベッドの頭部側における第１の縁部と対向するヘッドボード面と、前記ヘッドボード面に隣接され、前記第１の縁部に隣る第２の縁部と対向すると共に、アラーム時計を露出させたサイドボード面とを有し、前記ヘッドボード面と前記サイドボード面とは、前記ベッドの頭部側一角を囲うように直立することを特徴としたものである。
【００１８】
ここで、本ベッド用ヘッドボードは、前記ヘッドボード面をベッド頭部短手側面に当接して設置することによりベッド用のヘッドボードとしての機能を果たすものである。
【００１９】
本発明に係るベッド用ヘッドボードのヘッドボード面をベッド頭部短手側面に当接して設置すれば、サイドボード部のアラーム時計設置面であるサイドボード面は、ベッド長手側面に対向して直立することとなり、ベッド上に横になった利用者の頭部側方に面する。そのため、ベッドに横になった利用者からアラーム時計設置部が死角に位置することが無く、体勢を大きく変更することなく多くとも寝返りの動作を行うだけで、ベッドに横になったままの状態で時刻確認・アラーム操作をする事が容易に可能である。
【００２０】
主に出張時のビジネスマンなどが利用するビジネスホテルにおいては、就寝時であっても即座に時刻を確認できる環境であることが望ましいため上記した効果が特に有効であるし、就寝時であっても即座に時刻を確認できるという安心感を与えることで熟眠を誘う効果がある。
【００２１】
また、前記ヘッドボード面と前記サイドボード面とを、互いに鈍角を形成するよう設けたことを特徴としたため、本ベッド用ヘッドボードをベッド頭部にセットした際に、サイドボード面は、ヘッドボード面との接続部から離隔方向に向かって、ベッド長手側壁から緩やかに離隔する。そのため、サイドボード面とベッド長手側面を近接させて設置しても、ベッドとサイドボード面との間には適度な空間が生じ、横になった状態でのアラーム操作を容易にしながらも利用者がベッドに横になった際に圧迫感を与えることが無い。
【００２２】
また、前記サイドボード面は、台状に構成したサイドボード部の一側面であることを特徴とした。
【００２３】
すなわち、アラーム時計を有するサイドボード部上面に小物等を載置可能であり、テーブルとして利用できるため、アラーム時計とテーブルとを一体に構成してベッドスペースをコンパクトにすることができる。
【００２４】
また、前記サイドボード部の高さは、前記ヘッドボード面を有するヘッドボード部よりも低くしたことを特徴とした。
【００２５】
すなわち、サイドボード部は、ベッド上に横になった利用者が手を伸ばせば、サイドボード部の上面へ手が届く距離に位置しているので、利用者はベッド上に横臥しながらサイドボード部上部へ小物を載置することが可能である。
【００２６】
ここで、本来ヘッドボードは、利用者が就寝時に壁に直接頭をぶつけて怪我をする事を防ぐという頭部保護のクッションとしての役割や、ベッド上に座って読書をする際の背もたれとしての役割を果たすものである。そのためヘッドボードは、一般的にある程度の高さを有するものであり、ヘッドボード上部に小物を載置可能なスペースを設けても、ベッド上に横になった利用者からは手を伸ばしても手が届かない範囲に位置してしまう。仮にヘッドボード全体を低くすると、就寝時の頭部保護に不十分な高さとなる恐れがあるほか、逆に就寝しようとした際にヘッドボード上部に頭部をぶつけやすくなる等、本来のヘッドボードの機能を全うすることができない恐れがある。しかし本発明のように上記特徴を有することとすれば、ヘッドボード部は頭部保護と背もたれとしての役目を果たしながらも、サイドボード部はベッド上に横になったままでも手の届く範囲に位置し、小物等を載置することができるナイトテーブルとしての機能を果たすことができる。しかも、このヘッドボード部とサイドボード部はヘッドボードの一部として一体に構成しているため、小スペース内にヘッドボードとナイトテーブルの機能を収めることが可能である。
【００２７】
また、前記サイドボード部上面には照明取付け用開口を設けたことを特徴とした。
【００２８】
すなわち、本ベッド用ヘッドボードをベッド頭部の短手側面に当接して設置した際に、ベッドに近接した位置となるサイドボード部において、上面の照明取付け用開口に照明を設置することができるため、ベッド上で読書をする際などに確実に手元を照らすことができるし、照明を設置した際には、アラーム時計と照明の配線を一所に集中させることができるため、配線・点検作業を容易にする効果がある。
【００２９】
このように、コンパクトなベッドスペース内にアラーム・ナイトテーブル・照明の機能を収めることができるため、本ベッド用ヘッドボードは、ベッドスペースに多くのスペースを割くことができないような狭い客室であっても設置可能である。
【００３０】
以下、本発明における実施の形態について図面を参照しながら詳細に説明する。
【００３１】
図１は、本実施形態に係るベッド用ヘッドボードの使用形態を示す説明図、図２は、本実施形態に係るベッド用ヘッドボードの斜視図、図３は、本実施形態に係るベッド用ヘッドボードを裏側から見た斜視説明図、図４は、本実施形態に係るベッド用ヘッドボードの平面図である。
【００３２】
図１〜図３に示すように、本実施形態におけるベッド用ヘッドボードＡは、長方形状のベッドＢの短手一側面と対向する平面状のヘッドボード面３を有するヘッドボード部１と、ベッドＢの長手一側面と対向する平面状のサイドボード面４を有するサイドボード部２と、より構成し、サイドボード部２は、ヘッドボード部１よりも高さを低く構成して段差を設けている。ヘッドボード面３は、ベッドＢの頭部側面との当接面である。
【００３３】
前記ヘッドボード部１は、パネル状の板体であるヘッドボード面３裏面に棒体７，７,・・を格子状に取り付けて形成した直立部５と、直立部５上端に載置した天板６と、より構成し、図６に示すように、天板６上面には、天板６の後端縁に沿って略直角に突設した棒状の突設部９を設けている。
【００３４】
天板６と、ヘッドボード面３裏面の左右端及び下端に設けた棒体7，7，7は、ヘッドボード部１上部に小物を載置可能とするため、また直立部５に厚みを持たせるために、ある程度の幅、例えば６〜１０センチ、を持つことが好ましい。
【００３５】
突設部９は、天板６上に紙等を載置した時に、その紙等が壁面とヘッドボード部の間の隙間に入り込んで落下することを防止している。
【００３６】
サイドボード部２は、柱形の胴体部１５と、同胴体部１５の上端部に載置した天板１６と、から柱形の台状に構成し、天板１６は、胴体部１５の水平断面より多少大き目として胴体部１５端部からひさし状にせりだすように構成し、天板１６の後端部付近には照明器具Ｌ等を取り付けるための開口２２を設けている。
【００３７】
図４に示すように、サイドボード部２においてサイドボード面４は、ヘッドボード部１側の側端部をベッドＢと近接する方向へ略４５度開いた傾斜面として構成しており、サイドボード部２は、壁面Ｗ側に向けた奥行き方向へ略４５度の末広状とし、サイドボード面４を傾斜面とした形状に構成し、鋭角部分である、壁面Ｗ側でヘッドボード部１側の角には、天地に渡ってヘッドボード本体１に係合する切欠部１９を設けた形状としている。
【００３８】
図５に示すように、傾斜面としたサイドボード面４の上端付近には、アラーム時計を内蔵したアラームパネル３０を設けており、同アラームパネル３０には、現在時刻やアラーム設定時刻を表示する表示部３１と、アラーム設定やアラーム音量調整を行うスイッチ部３２と、アラーム音を出力するスピーカ３３とを設けている。
【００３９】
なお、本実施形態において、サイドボード面４とヘッドボード面３とがなす角度θを略１３５度としたが、ベッドに横臥する利用者がサイドボード面４上のアラームパネル３０を容易に目にする事ができる角度であれば、これに限定されない。
【００４０】
前記切欠部１９に、ヘッドボード部１の一側端部を嵌着固定することによりヘッドボード部１とサイドボード部２を接続する。この時、切欠部１９において、ヘッドボード部１とサイドボード部２は着脱自在としてもよく、固着することに限られない。
【００４１】
上記したようにサイドボード部２に切欠部１９を設け、同切欠部１９をヘッドボード部１の一側端部へ接続することにより、サイドボード部２のアラームパネル３０設置面であるサイドボード面４を、より内側で、よりベッドＢに近接した位置に立設させ、ベッドＢ上に横臥した利用者のより手の届く範囲に位置させている。
【００４２】
すなわち、上述した形状であるサイドボード部２を、ヘッドボード部１と接続すると、アラームパネル３０を有するサイドボード面４は、ヘッドボード面３と略１３５度を、ベッドＢ長手側面と略４５度をなし、ベッドＢ中央部付近を向いて立設するので、アラームパネル３０は、ベッドＢ上に横になった利用者が容易に目にする事ができる所で、手を伸ばせば届く所に位置し、利用者が寝ながら容易に時刻確認やアラーム操作を行うことを可能としている。しかも、サイドボード面４は、ヘッドボード部１との接続部から離隔方向へ向かって、ベッドＢの長手側面から緩やかに離隔するため、サイドボード部２をベッドＢに近接させて設置してもベッドＢ上に横臥する利用者に圧迫感を与えることがない。
【００４３】
ここで、本ベッド用ヘッドボードＡは、これを壁に取り付ける手段によって壁面Ｗの所要位置に取付け固定して使用する。
【００４４】
図３,図６に示すように、ヘッドボード部１の裏面において、天板６の下部内側には、ヘッドボード部１を壁面Ｗに固定する掛止部材８を、水平方向に、かつ天板６の後端面（壁面Ｗ側の面）に沿うように設けている。掛止部材８は角棒によって形成しており、図６に示すように、下面部はヘッドボード部１背面側（壁面Ｗ側）に向かって薄くなるよう下り傾斜させている。
【００４５】
同様に、図３,図７に示すように、サイドボード部２の、壁面Ｗと接する裏面には、天板１６の下部内側に、サイドボード部２を壁面Ｗに固定する掛止部材１８を、水平方向に、かつ天板１６の後端面（壁面Ｗ側の面）に沿うように設けている。掛止部材１８は角棒によって形成しており、図７に示すように、下面部はサイドボード部２背面側（壁面Ｗ側）に向かって薄くなるよう下り傾斜させている。
【００４６】
壁面Ｗの所要の位置には、上記掛止部材８，１８をそれぞれ下方からうけてヘッドボード部１及びサイドボード部２を固定する受部材１０，２０を設けている。
【００４７】
受部材１０，２０は、それぞれ、角棒によって形成しており、上面部は、下り傾斜させた上記掛止部材８，１８の係止部分に合致するように、ヘッドボードＡの正面側で壁面Ｗと離隔する方向に向けて上り傾斜させている。同受部材１０，２０はそれぞれ、木ネジ１１，２１等により壁面Ｗに固定している。
【００４８】
すなわち、掛止部材８，１８をそれぞれ、受部材１０，２０に係止して固定することにより、本ベッド用ヘッドボードＡを壁面Ｗに取り付け、使用可能な状態とする。
【００４９】
以上述べた実施形態によれば、ベッド用ヘッドボードＡをセットしたベッドＢ上に横臥した利用者は、例えば時刻を確認したい時はサイドボード部２の方向に顔を向けるだけでアラームパネル３０上の表示部３１に表示された時刻を確認することができるし、また例えばアラームの設定を行いたい時には、アラームパネル３０の方に顔が向くように横になれば、上述したようにサイドボード部２へ手を伸ばせばアラームパネル３０に手が届く距離のため、横臥姿勢のままでスイッチ部３２等の操作を行うことができる。
【００５０】
アラームを目覚まし時計として使用する際は、アラームパネル３０のスイッチ部３１でアラームを希望の起床時間に設定し、この設定した時刻にアラームが鳴動することで利用者は起床し、スイッチ部３１のスイッチを押すことによりアラームを停止させる。この時、ベッドＢに横になった状態からでも、アラームパネル３０へ手を伸ばせばスイッチ部３１へ手が届くため、アラームを容易に停止することができる。
【００５１】
アラーム音は、概して、就寝した利用者を確実に目覚めさせるために通常時では不快に感じる音である事が多いため、起床後に即座に停止できる事が望まれているが、本ベッド用ヘッドボードＡは前述したように、アラームパネル３０はベッドＢ上に横になった状態からでも手の届く範囲に位置するので起床後にはアラームの鳴動音を即座に止めることができ、気持ちのよい目覚めを提供することができる。
【００５２】
また、例えば携帯電話や眼鏡などは、就寝時でも常に手の届く所に置いておき、緊急時にも即座に手にすることができる状態であることが望ましいが、本ベッド用ヘッドボードＡにおいては、サイドボード部２上面に携帯電話や眼鏡を載置して就寝すれば、ベッドＢ上に横臥する利用者は、目覚めた直後であっても、サイドボード部２の方へ手を伸ばせば小物を載置したサイドボード上面へ手が届くので、容易に携帯電話や眼鏡等を手にする事が可能である。また、サイドボード部２上に設置した照明を即座に点けることも可能であるので、緊急時に備えて安心して就寝することができる。
【００５３】
本発明に係るベッド用ヘッドボードの他の実施形態としては、図８（ａ）に示すように、ヘッドボード部３５とサイドボード部３７の高さを同じ高さとし、上部の天板３６を一続きで一体のものとした、ベッド用ヘッドボードＡ１とすることもできる。この場合、ベッド用ヘッドボードＡ１全体の高さを前実施形態のヘッドボード部１の高さよりも多少低くすると、アラームパネル３０に手を伸ばしやすいし、天板３６上に小物を載置しやすい。
【００５４】
また、図８（ｂ），（ｃ）にそれぞれ示すように、サイドボード部４７,５７をテーブル状とせず、ヘッドボード部４５,５５と同様に薄い略板状として構成したベッド用ヘッドボードＡ２，Ａ３とすることもできる。すなわち、さらに設置スペースを省いて視覚的にもスマートに構成することができると共に、アラームパネル４０,５０に寝ながら手を伸ばしやすい構成とすることができる。なお、図８において符号３２,４２,５２は照明取り付け用開口、４６,５６は天板である。
【００５５】
なお、図面上では、ヘッドボード部の正面視右側端部にサイドボード部を接続したが、これに限られず、ベッド用ヘッドボードを設置する客室等の広さや間取り、及びベッドの形態等に合わせて、ヘッドボード部の左右どちらにでも接続することが可能である。
【００５６】
なお、本発明に係るベッド用ヘッドボードは、上記した図示の実施形態に限定されず技術思想の範囲内において種々の変形が可能である。
【図面の簡単な説明】
【００５７】
【図１】本実施形態に係るベッド用ヘッドボードの使用形態を示す説明図。
【図２】本実施形態に係るベッド用ヘッドボードの斜視図。
【図３】本実施形態に係るベッド用ヘッドボードを裏側から見た斜視説明図。
【図４】本実施形態に係るベッド用ヘッドボードの平面図。
【図５】サイドボード面におけるアラームパネルの説明図。
【図６】壁面に取り付けたヘッドボード部の一部断面説明図。
【図７】壁面に取り付けたサイドボード部の一部断面説明図。
【図８】他の実施形態におけるベッド用ヘッドボードの斜視図。
【符号の説明】
【００５８】
Ａ〜Ａ３ベッド用ヘッドボード
１  ヘッドボード部
２  サイドボード部
３  ヘッドボード面
４  サイドボード面
５  直立部
６  天板
７  棒体
８  係止部材
９  突設部
１０  受け部材
１５  胴体部
１６  天板
１８  係止部材
１９  切欠部
２０  受部材
２２  開口
３０  アラームパネル
３５  ヘッドボード面
３７  サイドボード面
４０  アラームパネル
４５  ヘッドボード面
４７  サイドボード面
５０  アラームパネル
５５  ヘッドボード面
５７  サイドボード面
Ｗ  壁面
【図１】
2007167083.tif 000003
【図２】
2007167083.tif 000004
【図３】
2007167083.tif 000005
【図４】
2007167083.tif 000006
【図５】
2007167083.tif 000007
【図６】
2007167083.tif 000008
【図７】
2007167083.tif 000009
【図８】
2007167083.tif 000010